(57)【要約】      （修正有）【課題】昼夜、照明装置により足元を明るく照らし、多方向から所在を鮮明に確認できる杖の本体に照明装置を設けた杖を提供する。【解決手段】杖の本体部１の一端に金属性の円錐形管部２を設け、金属性の円錐形管部２内に照明装置部３を設け、照明装置部３により足元が明るくなり、昼夜、多方向から所在を鮮明に確認できることを特徴とする。【選択図】図１
2010029667.tif 000002
【特許請求の範囲】
【請求項１】
杖の本体部（１）の一端に金属性の円錐形管部（２）を設け、金属性の円錐形管部（２）内に照明装置部（３）を設け、照明装置部（３）により足元を明るくし、昼夜、多方向から所在を明確に確認することができる照明装置つき杖。
【請求項２】
杖の本体部（１）の一端に金属性の円錐形管部（２）を設けた金属性の円錐形管部（２）の素材は限定しない請求項１の照明装置つき杖。
【請求項２】
杖の本体部（１）の一端に金属性の円錐形管部（２）を設けた金属性の円錐形管部（２）の色彩は限定しない請求項１の照明装置つき杖。
【請求項３】
杖の本体部（１）の一端に金属性の円錐形管部（２）を設けた金属性の円錐形管部（２）の形状は限定しない請求項１の照明装置つき杖。
【請求項３】
金属性の円錐形管部（２）内に、照明装置部（３）を設けた照明装置部（３）の操作方式は限定しない請求項１の照明装置つき杖。
【請求項４】
金属性の円錐形管部（２）内に、照明装置部（３）を設けた照明の色彩は限定しない請求項１の照明装置つき杖。
【請求項５】
金属性の円錐形管部（２）内に、照明装置部（３）を設けた照明のルクスは限定しない請求項１の照明装置つき杖。
【請求項６】
金属性の円錐形管（２）内に、照明装置部（３）を設けた照明装置部（３）の形状は限定しない請求項１の照明装置つき杖。
【請求項７】
杖の本体部（１）の素材は限定しない請求項１の照明装置つき杖。
【請求項８】
杖の本体部（１）の形状は限定しない請求項１の照明装置つき杖。
【請求項９】
杖の本体部（１）の色彩は限定しない請求項１の照明装置つき杖。
【請求項１０】
杖の本体部（１）の一端に金属性の円錐形管部（２）を設け、金属性の円錐形管部（２）内に照明装置（３）を設け着脱自在の請求項１の照明装置つき杖。
【発明の詳細な説明】
【技術分野】
【０００１】  この発明は杖の本体の一端に金属性の円錐形管を設け、金属性の円錐形管内に照明装置を設け、照明装置により足元を明るくし、昼夜、多方向から所在を鮮明に確認できる照明装置つき杖に関するものである。
【背景技術】
【０００２】  従来の杖は、杖の本体の一端に照明装置を設けたものはなかった。
【発明の開示】
【発明が解決しようとする課題】
【０００３】  これは次のような欠点があった。照明装置がなかったので、足元を明るくすることができなかっただけでなく、多方向から所在を鮮明に確認することができなかった。本発明は、以上の欠点をなくすためになされたものである。
【発明が解決するための手段】
【０００４】  杖の本体部（１）の一端に金属性の円錐形管部（２）を設け、金属性の円錐形管部（２）内に照明装置（３）を設け、照明装置部（３）により足元を明るくし、昼夜、多方向から所在を鮮明に確認できる。本発明は、以上の構成よりなる照明装置付杖である。
【発明の効果】
【０００５】  照明装置部が杖の本体部と一体になっているので、足元が明るくなり、昼夜、多方向から所在を鮮明に確認することができるので便利である。
【発明の実施をするための最良の形態】
【０００６】  以下、本発明を実施するための形態について説明する。
杖の本体部（１）の一端に金属性の円錐形管部（２）を設け、金属性の円錐形管部（２）内に照明装置部（３）を設ける。本発明は以上の構造でこれを使用するときは、照明装置部（３）により足元が明るく歩きやすくなり、昼夜、多方向から所在を鮮明に確認することができる。
【図面の簡単な説明】
【０００７】
【図１】  本発明の斜視図である。
【図２】  本発明の分解斜視図である。
【符号の説明】
【０００８】１  杖の本体部
２  管部
３  照明装置部
【図１】
2010029667.tif 000003
【図２】
2010029667.tif 000004
【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
杖の本体部（１）の一端に、金属性の円錐形管部（２）を設け、金属性の円錐形管部（２）内に照明装置部（３）を設け、照明装置部（３）により足元を明るくし、昼夜、多方向から所在を明確に確認することができる照明装置つき杖。
【請求項２】
杖の本体部（１）の一端に、金属性の円錐形管部（２）を設けた金属性の円錐形管部（２）の素材は、限定しない請求項１の照明装置つき杖。
【請求項３】
杖の本体部（１）の一端に、金属性の円錐形管部（２）を設けた金属性の円錐形管部（２）の色彩は、限定しない請求項１の照明装置つき杖。
【請求項４】
杖の本体部（１）の一端に、金属性の円錐形管部（２）を設けた金属性の円錐形管部（２）の形状は、限定しない請求項１の照明装置つき杖。
【請求項５】
金属性の円錐形管部（２）内に、照明装置部（３）を設けた照明装置部（３）の操作方式は、限定しない請求項１の照明装置つき杖。
【請求項６】
金属性の円錐形管部（２）内に、照明装置部（３）を設けた照明の色彩は、限定しない請求項１の照明装置つき杖。
【請求項７】
金属性の円錐形管部（２）内に、照明装置部（３）を設けた照明のルクスは、限定しない請求項１の照明装置つき杖。
【請求項８】
金属性の円錐形管部（２）内に、照明装置部（３）を設けた照明装置部（３）の形状は、限定しない請求項１の照明装置つき杖。
【請求項９】
杖の本体部（１）の素材は、限定しない請求項１の照明装置つき杖。
【請求項１０】
杖の本体部（１）の形状は、限定しない請求項１の照明装置つき杖。
【請求項１１】
杖の本体部（１）の色彩は、限定しない請求項１の照明装置つき杖。
【手続補正書】
【提出日】平成21年10月15日(2009.10.15)
【手続補正１】
【補正対象書類名】明細書
【補正対象項目名】特許請求の範囲
【補正方法】追加
【補正の内容】
【特許請求の範囲】
【請求項１３】杖の本体部（１）の一端に、金属性の円錐形管部（２）を設けた金属性の円錐形管部（２）が、地面についたときに受ける衝撃や振動を、音に変換させるマイクを付けることにより音を発生させ、歩行をしやすくした請求項１の照明装置つき杖。
【請求項１４】杖の本体部（１）の一端に、ＧＰＳ機能を搭載し、位置情報確認を可能とした請求項１の照明装置つき杖。
【手続補正書】
【提出日】平成21年11月26日(2009.11.26)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
杖の本体部（１）の一端に、金属性の円錐形管部（２）を設け、金属性の円錐形管部（２）内に照明装置部（３）を設け、照明装置部（３）により足元を明るくし、昼夜、多方向から所在を明確に確認することができる照明装置つき杖。
【請求項２】
杖の本体部（１）の一端に、金属性の円錐形管部（２）設けた金属性の円錐形管部（２）の素材は、限定しない請求項１の照明装置つき杖。
【請求項３】
杖の本体部（１）の一端に、金属性の円錐形管部（２）を設けた金属性の円錐形管部（２）の色彩は、限定しない請求項１の照明装置つき杖。
【請求項４】
杖の本体部（１）の一端に、金属性の円錐形管部（２）を設けた金属性の円錐形管（２）の形状は、限定しない請求項１の照明装置つき杖。
【請求項５】
金属性の円錐形管部（２）内に、照明装置部（３）を設けた照明装置部（３）の操作方式は、限定しない請求項１の照明装置つき杖。
【請求項６】
金属性の円錐形管部（２）内に、照明装置部（３）を設けた照明の色彩は、限定しない請求項１の照明装置つき杖。
【請求項７】
金属性の円錐形管部（２）内に、照明装置部（３）を設けた照明のルクスは、限定しない請求項１の照明装置つき杖。
【請求項８】
金属性の円錐形管部（２）内に、照明装置部（３）を設けた照明装置部（３）の形状は、限定しない請求項１の照明装置つき杖。
【請求項９】
杖の本体部（１）の素材は、限定しない請求項１の照明装置つき杖。
【請求項１０】
杖の本体部（１）の形状は、限定しない請求項１の照明装置つき杖。
【請求項１１】
杖の本体部（１）の色彩は、限定しない請求項１の照明装置つき杖。
【請求項１２】
杖の本体部（１）の一端に金属性の円錐形管部（２）内に照明装置（３）を設け着脱自在の請求項１の照明装置つき杖。
【請求項１３】
杖の本体部（１）の一端に、金属性の円錐形管部（２）を設けた金属性の円錐形管部（２）が、地面についたときに受ける衝撃や振動を、音に変換させるマイクを付けることにより音を発生させ、歩行をしやすくした請求項１の照明装置つき杖。
【請求項１４】
杖の本体部（１）の一端に、ＧＰＳ機能を搭載し、位置情報確認を可能とした請求項１の照明装置つき杖。